(57)【要約】  本発明は、空気の清浄を制御する方法及び空気の清浄を制御する装置に関し、スマート端末分野に関する。本発明による空気の清浄を制御する方法は、清浄対象空気の目標空気質を取得するステップと、清浄対象空気の現在空気質を測定し、目標空気質と現在空気質とに基づいて空気清浄機の作動量を決定するステップと、空気清浄機の清浄効率に基づいて空気清浄機が作動量を達成するために必要とする清浄所要時間を計算するステップと、空気清浄機を起動し、清浄所要時間に基づいて残り時間をリアルタイムで表示するステップとを有する。本発明による当該方法は、空気の清浄に対する制御を実現するために使用される。
2016540182.tif 000002
【特許請求の範囲】
【請求項１】
空気の清浄を制御する方法であって、
清浄対象空気の目標空気質を取得するステップと、
前記清浄対象空気の現在空気質を測定し、前記目標空気質と前記現在空気質とに基づいて空気清浄機の作動量を決定するステップと、
前記空気清浄機の清浄効率に基づいて、前記空気清浄機が前記作動量を達成するために必要とする清浄所要時間を計算するステップと、
前記空気清浄機を起動し、前記清浄所要時間に基づいて残り時間をリアルタイムで表示するステップとを有する、方法。
【請求項２】
前記方法は、
端末装置から制御命令を受信するステップを更に有し、前記制御命令が前記清浄対象空気の前記目標空気質と前記清浄対象空気の清浄終了時間とを含み、
前記清浄対象空気の前記目標空気質を取得する前記ステップは、
前記制御命令を解析して前記清浄対象空気の前記目標空気質を取得するステップを含み、
前記空気清浄機を起動する前記ステップは、
前記清浄終了時間と前記清浄所要時間とに基づいて清浄開始時間を決定するステップと、
前記清浄開始時間に達した時に前記空気清浄機を起動させるステップとを含む、請求項１に記載の方法。
【請求項３】
前記方法は、
空気中におけるＰＭ２．５の濃度に基づいて空気質指標レベルを設定するステップを更に有し、前記空気質指標レベルは、「優」、「良」、「軽度汚染」、「中度汚染」、「重度汚染」及び「厳重汚染」を含み、
前記清浄対象空気の目標空気質を取得する前記ステップは、
ユーザによって選択された前記空気質指標レベルを取得するステップと、
前記ユーザによって選択された前記空気質指標レベルを前記清浄対象空気の前記目標空気質として決定するステップとを含む、請求項１に記載の方法。
【請求項４】
前記目標空気質と前記現在空気質とに基づいて前記空気清浄機の作動量を決定する前記ステップは、
前記清浄対象空気の総体積量を取得するステップと、
前記総体積量、及び前記目標空気質と前記現在空気質とにおける単位体積量あたりの空気中のＰＭ２．５の濃度差に基づいて前記作動量を決定するステップとを含む、請求項３に記載の方法。
【請求項５】
前記空気清浄機の清浄効率に基づいて、前記空気清浄機が前記作動量を達成するために必要とする前記清浄所要時間を計算する前記ステップは、
前記空気清浄機の清浄記録履歴を収集するステップであって、前記清浄記録履歴が、清浄前の空気質、清浄後の空気質、清浄開始時点及び清浄終了時点を含むステップと、
前記清浄記録履歴に基づいて前記空気清浄機の前記清浄効率を推定するステップと、
前記空気清浄機の前記清浄効率に基づいて、前記空気清浄機が前記作動量を達成するために必要とする前記清浄所要時間を計算するステップとを含む、請求項１に記載の方法。
【請求項６】
前記空気清浄機の前記清浄効率に基づいて、前記空気清浄機が前記作動量を達成するために必要とする前記清浄所要時間を計算する前記ステップは、
前記空気清浄機の仕事率と、前記空気清浄機中のフィルタエレメントの清浄能力とに基づいて前記空気清浄機の前記清浄効率を決定するステップであって、前記清浄効率が前記仕事率に正相関し、前記清浄効率が前記フィルタエレメントの前記清浄能力に正相関するステップを含む、請求項４又は５に記載の方法。
【請求項７】
空気の清浄を制御する装置であって、
清浄対象空気の目標空気質を取得するように構成された取得モジュールと、
前記清浄対象空気の現在空気質を測定すると共に、前記取得モジュールによって取得された前記目標空気質と前記現在空気質とに基づいて空気清浄機の作動量を決定するように構成された決定モジュールと、
前記空気清浄機の清浄効率に基づいて前記空気清浄機が前記作動量を達成するために必要とする清浄所要時間を計算するように構成された計算モジュールと、
前記空気清浄機を起動し、前記清浄所要時間に基づいて残り時間をリアルタイムで表示するように構成された制御モジュールとを備える、装置。
【請求項８】
前記装置は、
端末装置から制御命令を受信するように構成された受信モジュールを更に備え、前記制御命令が前記清浄対象空気の前記目標空気質と前記清浄対象空気の清浄終了時間とを含み、
前記取得モジュールは、前記受信モジュールによって受信された前記制御命令を解析して前記清浄対象空気の前記目標空気質を取得するように構成され、
前記制御モジュールは、前記清浄終了時間と前記清浄所要時間とに基づいて清浄開始時間を決定し、前記清浄開始時間に達した時に前記空気清浄機を起動させるように構成されている、請求項７に記載の装置。
【請求項９】
前記装置は、
空気中におけるＰＭ２．５の濃度に基づいて空気質指標レベルを設定するように構成された設定モジュールを更に備え、前記空気質指標レベルは、「優」、「良」、「軽度汚染」、「中度汚染」、「重度汚染」及び「厳重汚染」を含み、
前記取得モジュールは、ユーザによって選択された前記空気質指標レベルを取得し、前記ユーザによって選択された前記空気質指標レベルを前記清浄対象空気の前記目標空気質として決定するように構成されている、請求項７に記載の装置。
【請求項１０】
前記決定モジュールは、
前記清浄対象空気の総体積量を取得するように構成された取得サブモジュールと、
前記取得サブモジュールによって取得された前記総体積量、及び前記目標空気質と前記現在空気質とにおける単位体積量あたりの空気中のＰＭ２．５の濃度差に基づいて前記作動量を決定するように構成された決定サブモジュールとを有する、請求項９に記載の装置。
【請求項１１】
前記計算モジュールは、
前記空気清浄機の清浄記録履歴を収集するように構成された収集サブモジュールであって、前記清浄記録履歴が、清浄前の空気質、清浄後の空気質、清浄開始時点及び清浄終了時点を含む収集サブモジュールと、
前記収集サブモジュールにより収集された前記清浄記録履歴に基づいて、前記空気清浄機の前記清浄効率を推定するように構成された推定サブモジュールと、
前記推定サブモジュールにより推定された前記空気清浄機の前記清浄効率に基づいて、前記空気清浄機が前記作動量を達成するために必要とする清浄所要時間を計算するように構成された計算サブモジュールとを有する、請求項７に記載の装置。
【請求項１２】
前記計算モジュールは、前記空気清浄機の仕事率と、前記空気清浄機中のフィルタエレメントの清浄能力とに基づいて、前記空気清浄機の前記清浄効率を決定するように構成され、前記清浄効率は前記仕事率に正相関し、前記清浄効率は前記フィルタエレメントの前記清浄能力に正相関する、請求項１０又は１１に記載の装置。
【請求項１３】
空気の浄化を制御する装置であって、
プロセッサと、
前記プロセッサによって実行可能な命令を格納するメモリとを備え、
前記プロセッサは、
清浄対象空気の目標空気質を取得し、
前記清浄対象空気の現在空気質を測定し、前記目標空気質と前記現在空気質とに基づいて空気清浄機の作動量を決定し、
前記空気清浄機の清浄効率に基づいて前記空気清浄機が前記作動量を達成するために必要とする清浄所要時間を計算し、
前記空気清浄機を起動し、前記清浄所要時間に基づいて残り時間をリアルタイムで表示するように構成されている、装置。
【発明の詳細な説明】
【技術分野】
【０００１】
（関連出願の相互参照）
本出願は、２０１４年１０月２９日に出願された中国特許出願第２０１４１０５９６７０９．２号に基づく優先権を主張し、当該中国特許出願に記載された全ての記載内容を援用するものである。
【０００２】
本発明は、一般に、スマート端末分野に関し、特に、空気の清浄を制御する方法及び空気の清浄を制御する装置に関する。
【背景技術】
【０００３】
科学技術の発達に伴い、人々は、水、空気、放射能などの様々な要因を含む人間の生活環境に対してますます重要視するようになっている。近年、空気汚染の悪化に伴い、ＰＭ２．５がますます多くの人々の懸念となってきている。ＰＭ２．５は、その中国語名称が微小粒子状物質であって、主として、環境空気中の空気動力学径が２．５マイクロメートル以下の粒子状物質を指し、空気質及び視界等に大きな影響を与えている。ＰＭ２．５は、空気中において長時間浮遊する可能性がある。空気中のＰＭ２．５の濃度が高ければ高いほど、空気汚染は深刻になる。
【０００４】
関連技術では、空気清浄機を取り付け、室内空気中のＰＭ２．５をフィルタリングすることによって、空気の清浄を実現することができる。
【発明の概要】
【発明が解決しようとする課題】
【０００５】
本発明は、空気の清浄を制御する方法及び空気の清浄を制御する装置を提供する。
【課題を解決するための手段】
【０００６】
本発明は、第１の態様において、空気の清浄を制御する方法を提供する。当該方法は、清浄対象空気の目標空気質を取得するステップと、前記清浄対象空気の現在空気質を測定するステップと、前記目標空気質と前記現在空気質とに基づいて空気清浄機の作動量を決定するステップと、前記空気清浄機の清浄効率に基づいて前記空気清浄機が前記作動量を達成するために必要とする清浄所要時間を計算するステップと、前記空気清浄機を起動し、前記清浄所要時間に基づいて残り時間をリアルタイムで表示するステップとを有する。
【０００７】
本発明の第１の態様との組合せとして、第１の可能な構成は以下に示す。すなわち、前記方法は、端末装置から制御命令を受信するステップを有し、前記制御命令が前記清浄対象空気の前記目標空気質と前記清浄対象空気の清浄終了時間とを含む。また、前記清浄対象空気の前記目標空気質を取得する前記ステップは、前記制御命令を解析して前記清浄対象空気の前記目標空気質を取得するステップを含む。また、前記空気清浄機を起動する前記ステップは、前記清浄終了時間と前記清浄所要時間とに基づいて清浄開始時間を決定するステップと、前記清浄開始時間に達した時に前記空気清浄機を起動させるステップとを含む。
【０００８】
本発明の第１の態様との組合せとして、第２の可能な構成は以下に示す。すなわち、前記方法は、空気中におけるＰＭ２．５の濃度に基づいて空気質指標レベルを設定するステップを更に有し、前記空気質指標レベルは、「優」、「良」、「軽度汚染」、「中度汚染」、「重度汚染」及び「厳重汚染」を含む。また、前記清浄対象空気の目標空気質を取得する前記ステップは、ユーザによって選択された前記空気質指標レベルを取得するステップと、前記ユーザによって選択された前記空気質指標レベルを前記清浄対象空気の前記目標空気質として決定するステップとを含む。
【０００９】
本発明の第１の態様の前記第２の可能な構成との組合せとして、第３の可能な構成は、前記目標空気質と前記現在空気質とに基づいて前記空気清浄機の作動量を決定する前記ステップは、前記清浄対象空気の総体積量を取得するステップと、前記総体積量、及び前記目標空気質と前記現在空気質とにおける単位体積量あたりの空気中のＰＭ２．５の濃度差に基づいて前記作動量を決定するステップとを含む。
【００１０】
本発明の第１の態様との組合せとして、第４の可能な構成は以下に示す。すなわち、前記空気清浄機の清浄効率に基づいて前記空気清浄機が前記作動量を達成するために必要とする前記清浄所要時間を計算する前記ステップは、前記空気清浄機の清浄記録履歴を収集するステップであって、前記清浄記録履歴が、清浄前の空気質、清浄後の空気質、清浄開始時点及び清浄終了時点を含むステップと、前記清浄記録履歴に基づいて前記空気清浄機の前記清浄効率を推定するステップと、前記空気清浄機の前記清浄効率に基づいて前記空気清浄機が前記作動量を達成するために必要とする前記清浄所要時間を計算するステップとを含む。
【００１１】
本発明の第１の態様の前記第３の可能な構成又は前記第４の可能な構成との組合せとして、第５の可能な構成は、前記空気清浄機の前記清浄効率に基づいて前記空気清浄機が前記作動量を達成するために必要とする前記清浄所要時間を計算する前記ステップは、前記空気清浄機の仕事率と、前記空気清浄機中のフィルタエレメントの清浄能力とに基づいて前記空気清浄機の前記清浄効率を決定するステップであって、前記清浄効率が前記仕事率に正相関し、前記清浄効率が前記フィルタエレメントの前記清浄能力に正相関するステップを含む。
【００１２】
本発明は、第２の態様において、空気の清浄を制御する装置を提供する。当該装置は、清浄対象空気の目標空気質を取得するように構成された取得モジュールと、前記清浄対象空気の現在空気質を測定すると共に、前記取得モジュールによって取得された前記目標空気質と前記現在空気質とに基づいて空気清浄機の作動量を決定するように構成された決定モジュールと、前記空気清浄機の清浄効率に基づいて前記空気清浄機が前記作動量を達成するために必要とする清浄所要時間を計算するように構成された計算モジュールと、前記空気清浄機を起動し、前記清浄所要時間に基づいて残り時間をリアルタイムで表示するように構成された制御モジュールとを備える。
【００１３】
本発明の第２の態様との組合せとして、第１の可能な構成は以下に示す。すなわち、前記装置は、端末装置から制御命令を受信するように構成された受信モジュールを更に備え、前記制御命令が前記清浄対象空気の前記目標空気質と前記清浄対象空気の清浄終了時間とを含む。また、前記取得モジュールは、前記受信モジュールによって受信された前記制御命令を解析して前記清浄対象空気の前記目標空気質を取得するように構成されている。また、前記制御モジュールは、前記清浄終了時間と前記清浄所要時間とに基づいて清浄開始時間を決定し、前記清浄開始時間に達した時に前記空気清浄機を起動させるように構成されている。
【００１４】
本発明の第２の態様との組合せとして、第２の可能な構成は、前記装置は、空気中におけるＰＭ２．５の濃度に基づいて空気質指標レベルを設定するように構成された設定モジュールを更に備え、前記空気質指標レベルは、「優」、「良」、「軽度汚染」、「中度汚染」、「重度汚染」及び「厳重汚染」を含む。また、前記取得モジュールは、ユーザによって選択された前記空気質指標レベルを取得し、前記ユーザによって選択された前記空気質指標レベルを前記清浄対象空気の前記目標空気質として決定するように構成されている。
【００１５】
本発明の第２の態様の前記第２の可能な構成との組合せとして、第３の可能な構成は、前記決定モジュールは、前記清浄対象空気の総体積量を取得するように構成された取得サブモジュールと、前記取得サブモジュールによって取得された前記総体積量、及び前記目標空気質と前記現在空気質とにおける単位体積量あたりの空気中のＰＭ２．５の濃度差に基づいて前記作動量を決定するように構成された決定サブモジュールとを有する。
【００１６】
本発明の第２の態様の組合せとして、第４の可能な構成は、前記計算モジュールは、前記空気清浄機の清浄記録履歴を収集するように構成された収集サブモジュールであって、前記清浄記録履歴が、清浄前の空気質、清浄後の空気質、清浄開始時点及び清浄終了時点含む収集サブモジュールと、前記収集サブモジュールにより収集された前記清浄記録履歴に基づいて前記空気清浄機の前記清浄効率を推定するように構成された推定サブモジュールと、前記推定サブモジュールにより推定された前記空気清浄機の前記清浄効率に基づいて前記空気清浄機が前記作動量を達成するために必要とする清浄所要時間を計算するように構成された計算サブモジュールとを有する。
【００１７】
本発明の第２の態様の前記第３の可能な構成又は前記第４の可能な構成との組合せとして、第５の可能な構成は、前記計算モジュールは、前記空気清浄機の仕事率と、前記空気清浄機中のフィルタエレメントの清浄能力とに基づいて前記空気清浄機の前記清浄効率を決定するように構成され、前記清浄効率は前記仕事率に正相関し、前記清浄効率は前記フィルタエレメントの前記清浄能力に正相関する。
【００１８】
本発明は、第３の態様において、空気の浄化を制御する装置であって、プロセッサと、前記プロセッサによって実行可能な命令を格納するメモリとを備える装置を提供する。前記プロセッサは、清浄対象空気の目標空気質を取得し、前記清浄対象空気の現在空気質を測定し、前記目標空気質と前記現在空気質とに基づいて空気清浄機の作動量を決定し、前記空気清浄機の清浄効率に基づいて前記空気清浄機が前記作動量を達成するために必要とする清浄所要時間を計算し、前記空気清浄機を起動し、前記清浄所要時間に基づいて残り時間をリアルタイムで表示するように構成されている。
【００１９】
本発明の実施例によって提供される技術的手段は、以下の有利な作用効果を奏することができる。即ち、空気を清浄する必要がある場合、清浄前の空気質と清浄後の空気質とに基づいて当該清浄を完了するために必要とする清浄所要時間を決定することができる。また、空気清浄機が起動された後では、カウントダウンを行い空気清浄の進捗状況を表示することができるので、ユーザによる空気清浄機の使用はより便利になる。
【００２０】
上記の一般的な記載及び下記の詳細的な記載は、例示的で且つ記述的なものに過ぎず、本発明の請求の範囲を制限するものではないと理解すべきである。
【図面の簡単な説明】
【００２１】
【図１】例示的な一実施例による空気の清浄を制御する方法のフローチャートである。
【図２】例示的な一実施例による空気の清浄を制御する別の方法のフローチャートである。
【図３】例示的な一実施例による空気の清浄を制御する装置のブロック図である。
【図４】例示的な一実施例による空気の清浄を制御する別の装置のブロック図である。
【図５】例示的な一実施例による空気の清浄を制御する別の装置のブロック図である。
【図６】例示的な一実施例による計算モジュールのブロック図である。
【図７】例示的な一実施例による装置のブロック図である。
【発明を実施するための形態】
【００２２】
本出願の図面は、本発明による実施例を図示すると共に、明細書の記載と併せて本発明の原理を説明するために用いられている。
【００２３】
以下、図面を参照して例示的な実施例について詳細に説明する。下記の記載において、特に明記されない限り、異なる図面における同じ参照符号によって同一又は類似の部材を表している。下記の例示的な実施例に記載される実施構成は、本発明と一致した全ての実施構成を表すものではなく、特許請求の範囲に記載の本発明の幾つかの態様と一致した装置と方法の具体例に過ぎない。
【００２４】
図１は、例示的な一実施例による空気の清浄を制御する方法のフローチャートである。図１に示されるように、この方法は、以下のステップを有する。
【００２５】
ステップ１１において、清浄対象空気の目標空気質を取得する。
【００２６】
ステップ１１により、現在の環境における空気をどの程度に浄化するかを決定することができる。前記目標空気質は、浄化対象空気の浄化完了後に得られる空気質である。前記浄化対象空気は、通常、閉鎖空間における空気であって、当該閉鎖空間は、内部において連通し、外部に対して閉鎖される空間とすることができるが、それに限定されるものではない。
【００２７】
ステップ１２において、前記清浄対象空気の現在空気質を測定し、前記目標空気質と前記現在空気質とに基づいて空気清浄機の作動量を決定する。
【００２８】
ここで、前記目標空気質と前記現在空気質との差が大きければ大きいほど、前記空気清浄機の作動量は大きくなることを明記する。例えば、清浄対象空気の現在空気質が「軽度汚染」である場合、当該清浄対象空気を「軽度汚染」から「良」へと清浄するための前記空気清浄機の作動量は、当該清浄対象空気を「軽度汚染」から「優」に清浄するための空気清浄機の作動量よりも小さい。
【００２９】
ステップ１３において、前記空気清浄機の清浄効率に基づいて、前記空気清浄機が前記作動量を達成するために必要とする清浄所要時間を計算する。
【００３０】
選択的に、前記清浄効率は、前記空気清浄機によって単位時間あたりに「現在空気質」から「目標空気質」に清浄可能な清浄対象空気の体積量とすることができる。また、それに対応して、前記作動量は、「現在空気質」から「目標空気質」に清浄可能な清浄対象空気の総体積量とすることができる。
【００３１】
選択的に、前記清浄効率は、前記空気清浄機によって単位時間あたりに清浄可能なＰＭ２．５の量とすることができる。また、それに対応して、前記作動量は、清浄対象空気を「現在空気質」から「目標空気質」に清浄する過程において清浄されるべきＰＭ２．５の総量とすることができる。
【００３２】
ステップ１４において、前記空気清浄機を起動し、前記清浄所要時間に基づいて残り時間をリアルタイムで表示する。
【００３３】
前記空気清浄機の起動後、前記清浄所要時間のカウントダウンを行い、カウントダウン情報を表示する。
【００３４】
ステップ１２からステップ１４により、空気を清浄する必要のある場合、清浄前の空気質と清浄後の空気質とに基づいて当該清浄を完了するために必要とする清浄所要時間を決定することができる。また、空気清浄機が起動された後では、カウントダウンを行って空気清浄の進捗状況を表示することができるので、ユーザによる空気清浄機の使用はより便利になる。
【００３５】
選択的に、図１に示される空気の清浄を制御する方法に基づいて、第１の可能な構成では、当該方法は、下記のステップを更に有する。
【００３６】
ステップ１０において、空気中におけるＰＭ２．５の濃度に基づいて空気質指標レベルを設定する。ここで、前記空気質指標レベルは、「優」、「良」、「軽度汚染」、「中度汚染」、「重度汚染」及び「厳重汚染」を含む。
【００３７】
前記空気質指標レベルの設定を容易にするために、本実施例においては、表１に示されるような空気質指数（ＡＱＩ）とＡＱＩレベルとの間のマッピングテーブルを参照のために提供する。
【００３８】
【表１】
2016540182.tif 000003
【００３９】
ここで、ＡＱＩの分布はＰＭ２．５の濃度に相関する。本実施例において、ＡＱＩとＰＭ２．５とのマッピングテーブルを参照のために提供する。当該マッピングテーブルは、表２に示す。
【００４０】
【表２】
2016540182.tif 000004
【００４１】
ステップ１０に基づき、ステップ１１は、ユーザによって選択された前記空気質指標レベルを取得するステップと、前記ユーザによって選択された前記空気質指標レベルを前記清浄対象空気の前記目標空気質として決定するステップとを含む。例えば、ユーザが清浄対象空気の清浄目標を「優」に選択する場合、前記空気清浄機は、清浄対象空気のＰＭ２．５濃度を０〜３５μｇ／ｍ３になるまで清浄対象空気を清浄する必要があると決定する。
【００４２】
ステップ１２において、前記目標空気質と前記現在空気質とに基づいて前記空気清浄機の作動量を決定する前記ステップは、前記清浄対象空気の総体積量を取得するステップと、前記総体積量、及び前記目標空気質と前記現在空気質とにおける単位体積量あたりの空気中のＰＭ２．５の濃度差に基づいて前記作動量を決定するステップとを含む。
【００４３】
前記清浄対象空気の総体積量は、ユーザによって事前に入力された値であってもよく、又は、清浄記録履歴に基づいて推定された値であってもよいが、これらに限定されるものではない。
【００４４】
選択的に、図１に示す空気の清浄を制御する方法に基づいて、その第２の可能な構成では、ステップ１３は、前記空気清浄機の清浄記録履歴を収集するステップであって、前記清浄記録履歴が、清浄前の空気質、清浄後の空気質、清浄開始時点及び清浄終了時点を含むステップと、前記清浄記録履歴に基づいて前記空気清浄機の前記清浄効率を推定するステップと、前記空気清浄機の前記清浄効率に基づいて、前記空気清浄機が前記作動量を達成するために必要とする清浄所要時間を計算するステップとを含む。
【００４５】
例えば、前記空気清浄機によって清浄対象空気を「良」から「優」に清浄するプロセスに関して、それぞれ１５分間、１４分間、１６分間及び１５分間の４回の清浄記録履歴が存在するとすれば、第５回目に、当該空気清浄機が清浄対象空気を「良」から「優」に清浄する場合、当該清浄に必要とする清浄所要時間は１５分間であると決定することができる。
【００４６】
前記第１の可能な構成又は前記第２の可能な構成との組合せとして、ステップ１３において、前記空気清浄機の前記清浄効率は、以下のようにして決定することができる。即ち、前記空気清浄機の仕事率と、前記空気清浄機中のフィルタエレメントの清浄能力とに基づいて、前記空気清浄機の前記清浄効率を決定する。前記清浄効率は前記仕事率に正相関し、前記清浄効率は前記フィルタエレメントの前記清浄能力に正相関する。
【００４７】
図２は、例示的な一実施例による空気の清浄を制御する方法のフローチャートである。図２に示されるように、当該方法は以下のステップを有する。
【００４８】
ステップ２１において、端末装置から制御命令を受信する。前記制御命令が清浄対象空気の目標空気質と清浄対象空気の清浄終了時間とを含む。
【００４９】
前記端末装置は、例えば、携帯電話、タブレット型コンピュータ等の、制御機能を有する携帯装置とすることができる。ユーザは、前記端末装置によって空気清浄機を制御することができる。
【００５０】
ステップ２２において、前記制御命令を解析して前記清浄対象空気の前記目標空気質を取得する。
【００５１】
ステップ２３において、前記清浄対象空気の現在空気質を測定し、前記目標空気質と前記現在空気質とに基づいて空気清浄機の作動量を決定する。
【００５２】
ステップ２４において、前記空気清浄機の清浄効率に基づいて、前記空気清浄機が前記作動量を達成するために必要とする清浄所要時間を計算する。
【００５３】
ステップ２５において、前記清浄終了時間と前記清浄所要時間とに基づいて清浄開始時間を決定する。
【００５４】
ステップ２６において、前記清浄開始時間に達した時に前記空気清浄機を起動し、前記清浄所要時間に基づいて残り時間をリアルタイムで表示する。
【００５５】
ステップ２１〜ステップ２６により、前記空気清浄機を制御するために、前記空気清浄機に対する前記端末装置による遠隔制御を実現可能であると共に、前記清浄開始時をインテリジェントに決定可能である。例えば、ユーザが２０時に家に着き、家の空気質が「良」であり、空気清浄機が当該家の空気質を「良」から「優」に調節するために必要とする清浄所要時間は３０分間とすれば、端末装置によって当該空気清浄機を１９時３０分に起動するように制御することができる。これにより、ユーザが家に着いて健康な空気を呼吸できるようになるばかりでなく、エネルギを節約してエネルギの浪費を回避することも可能となる。
【００５６】
図３は、例示的な一実施例による空気の清浄を制御する装置のブロック図である。図３を参照し、前記装置は、取得モジュール３１と、決定モジュール３２と、計算モジュール３３と、制御モジュール３４とを備える。
【００５７】
取得モジュール３１は、清浄対象空気の目標空気質を取得するように構成されている。
【００５８】
決定モジュール３２は、前記清浄対象空気の現在空気質を測定すると共に、取得モジュール３１によって取得された前記目標空気質と前記現在空気質とに基づいて空気清浄機の作動量を決定するように構成されている。
【００５９】
計算モジュール３３は、前記空気清浄機の清浄効率に基づいて、前記空気清浄機が決定モジュール３２によって決定された前記作動量を達成するために必要とする清浄所要時間を計算するように構成されている。
【００６０】
制御モジュール３４は、前記空気清浄機を起動し、前記清浄所要時間に基づいて、残り時間をリアルタイムで表示するように構成されている。
【００６１】
選択的に、図４に示されるように、前記装置は、端末装置から制御命令を受信するように構成された受信モジュール３５を更に備え、前記制御命令が前記清浄対象空気の前記目標空気質と前記清浄対象空気の清浄終了時間とを含む。取得モジュール３１は、受信モジュール３５によって受信された前記制御命令を解析して、前記清浄対象空気の前記目標空気質を取得するように構成されている。制御モジュール３４は、前記清浄終了時間と前記清浄所要時間とに基づいて清浄開始時間を決定し、前記清浄開始時間に達した時に前記空気清浄機を起動させるように構成されている。
【００６２】
選択的に、図５に示されるように、前記装置は、空気中におけるＰＭ２．５の濃度に基づいて空気質指標レベルを設定するように構成された設定モジュール３６を更に備え、前記空気質指標レベルは、「優」、「良」、「軽度汚染」、「中度汚染」、「重度汚染」及び「厳重汚染」を含む。取得モジュール３１は、ユーザによって選択された前記空気質指標レベルを取得し、前記ユーザによって選択された前記空気質指標レベルを前記清浄対象空気の前記目標空気質として決定するように構成されている。
【００６３】
前記決定モジュール３２は、前記清浄対象空気の総体積量を取得するように構成された取得サブモジュール３２１と、取得サブモジュール３２１によって取得された前記総体積量、及び前記目標空気質と前記現在空気質とにおける単位体積量あたりの空気中のＰＭ２．５の濃度差に基づいて前記作動量を決定するように構成された決定サブモジュール３２２とを有する。
【００６４】
選択的に、図６に示されるように、計算モジュール３３は、前記空気清浄機の清浄記録履歴を収集するように構成された収集サブモジュール３３１であって、前記清浄記録履歴が、清浄前の空気質、清浄後の空気質、清浄開始時点及び清浄終了時点を含む収集サブモジュール３３１と、収集サブモジュール３３１によって収集された前記清浄記録履歴に基づいて前記空気清浄機の前記清浄効率を推定するように構成された推定サブモジュール３３２と、推定サブモジュール３３２によって推定された前記空気清浄機の前記清浄効率に基づいて、前記空気清浄機が前記作動量を達成するために必要とする前記清浄所要時間を計算するように構成された計算サブモジュール３３３とを有する。
【００６５】
選択的に、計算モジュール３３は、前記空気清浄機の仕事率と、前記空気清浄機中のフィルタエレメントの清浄能力とに基づいて前記空気清浄機の前記清浄効率を決定するように構成され、前記清浄効率は前記仕事率に正相関し、前記清浄効率は前記フィルタエレメントの前記清浄能力に正相関する。
【００６６】
上記実施例の装置に関し、その内部の個々のモジュールの具体的作動モードについては、上述した空気清浄を制御する方法に関する実施例において既に詳細に説明したため、ここでは贅言しない。
【００６７】
図７は、例示的な一実施例による、空気の清浄を制御する上記方法を実施するための装置８００のブロック図である。例えば、装置８００は、携帯電話、コンピュータ、デジタルブロードキャスト端末、メッセージトランシーバ、ゲームコンソール、タブレット、医療装置、運動機器、パーソナル・デジタル・アシスタント（ＰＤＡ）等とすることができる。
【００６８】
図７を参照すると、装置８００は、プロセッシングコンポーネント８０２、メモリ８０４、電力コンポーネント８０６、マルチメディアコンポーネント８０８、オーディオコンポーネント８１０、入力／出力（Ｉ／Ｏ）インターフェース８１２、センサコンポーネント８１４及び通信コンポーネント８１６からなる群より選択された一つ又は複数のコンポーネントを備えることができる。
【００６９】
プロセッシングコンポーネント８０２は、通常、表示、電話呼び出し、データ通信、カメラ操作及び記録操作等に関連する操作である、装置８００の全般操作を制御する。プロセッシングコンポーネント８０２は、上述した方法のステップの全部又は一部を行う命令を実行するために、一つ又は複数のプロセッサ８２０を備えることができる。更に、プロセッシングコンポーネント８０２は、当該プロセッシングコンポーネント８０２と他のコンポーネントとの間の相互作用を容易にするために、一つ又は複数のモジュールを備えることができる。例えば、プロセッシングコンポーネント８０２は、マルチメディアコンポーネント８０８とプロセッシングコンポーネント８０２との間の相互作用を容易にするために、マルチメディアモジュールを備えることができる。
【００７０】
メモリ８０４は、装置８００の作動をサポートするために、種々のデータを格納するように構成されている。当該データは、具体的に、装置８００上で実行される任意のアプリケーション又は方法のための命令、連絡先データ、電話帳データ、メッセージ、ピクチャー、ビデオ等である。メモリ８０４は、スタティックランダムアクセスメモリ（ＳＲＡＭ）、電気的消去可能プログラマブル読取専用メモリ（ＥＥＰＲＯＭ）、消去可能プログラマブル読取専用メモリ（ＥＰＲＯＭ）、プログラマブル読取専用メモリ（ＰＲＯＭ）、読取専用メモリ（ＲＯＭ）、磁気メモリ、フラッシュメモリ、磁気又は光ディスク等の任意の種類の揮発性又は非揮発性メモリデバイス、又はそれらの組み合わせにより構成することができる。
【００７１】
電力コンポーネント８０６は、装置８００の様々なコンポーネントに電力を提供する。電力コンポーネント８０６は、電力管理システムと、一つ又は複数の電源と、装置８００における電力の生成、管理及び分配に関連するその他の任意のコンポーネントとを備えることができる。
【００７２】
マルチメディアコンポーネント８０８は、装置８００とユーザとの間の出力インターフェースを提供するスクリーンを備える。幾つかの実施例において、前記スクリーンは、液晶ディスプレイ（ＬＣＤ）及びタッチパネル（ＴＰ）を含むことができる。前記スクリーンがタッチパネルを含む場合、前記スクリーンは、ユーザからの入力信号を受け取るために、タッチスクリーンとして構成することができる。前記タッチパネルは、タッチ、スワイプ及びタッチパネルにおけるその他のジェスチャーを感知するために、一つ又は複数のタッチセンサを備える。前記タッチセンサは、タッチ操作又はスワイプ操作の境界を感知するだけでなく、タッチ操作又はスワイプ操作の継続時間及び圧力も感知することができる。幾つかの実施例において、マルチメディアコンポーネント８０８は、フロントカメラ及び／又はリアカメラを備える。装置８００が、写真撮影モード又はビデオモード等の操作モードにある時に、前記フロントカメラ及びリアカメラは、外部マルチメディアデータを受け取ることができる。フロントカメラ及びリアカメラのそれぞれは、固定光学レンズシステムであってもよく、又は、焦点及び光学ズーム能力を有することができる。
【００７３】
オーディオコンポーネント８１０は、オーディオ信号を出力及び／又は入力するように構成されている。例えば、オーディオコンポーネント８１０は、マイクロフォン（ＭＩＣ）を備え、当該マイクフォンは、装置８００が呼び出しモード、記録モード及び音声認識モード等の操作モードにある場合に、外部オーディオ信号を受け取るように構成されている。受け取られたオーディオ信号は、更に、メモリ８０４に格納されるか、もしくは、通信コンポーネント８１６を介して送信することができる。幾つかの実施例において、オーディオコンポーネント８１０は、オーディオ信号を出力するためのスピーカを更に備える。
【００７４】
Ｉ／Ｏインターフェース８１２は、プロセッシングコンポーネント８０２と周辺インターフェースモジュールとの間のインターフェースを提供し、当該周辺インターフェースモジュールは、キーボード、クリックホイール又はボタン等であってもよい。前記ボタンは、ホームボタン、ボリュームボタン、開始ボタン及びロッキングボタンを含むこができるが、これらに限定されるものではない。
【００７５】
センサコンポーネント８１４は、装置８００の種々の態様に関する状態評価を提供するために、一つ又は複数のセンサを含む。例えば、センサコンポーネント８１４は、装置８００の開閉状態、コンポーネントの相対的位置（例えば、当該コンポーネントが装置８００のディスプレイ及びキーパッド）を検出することができる。更に、センサコンポーネント８１４は、装置８００又は装置８００におけるコンポーネントの位置の変化、ユーザによる装置８００に対する接触の有無、装置８００の方位又は装置８００の加速若しくは減速、及び装置８００の温度の変化を検出することができる。センサコンポーネント８１４は、何らか物理的な接触を伴うことなく、近傍の対象物の存在を検出するように構成された近接センサ（ｐｒｏｘｉｍｉｔｙ  ｓｅｎｓｏｒ）を更に含むことができる。センサコンポーネント８１４は、更に、撮像のために使用される、ＣＭＯＳ又はＣＣＤ画像センサ等の光センサを含むことができる。また、幾つかの実施例において、センサコンポーネント８１４は、加速度計センサ、ジャイロスコープセンサ、磁気センサ、圧力センサ又は温度センサを含むことができる。
【００７６】
通信コンポーネント８１６は、装置８００とその他の装置との間の有線又は無線通信を容易にするように構成されている。装置８００は、ＷｉＦｉ、２Ｇ若しくは３Ｇ又はそれらの組み合わせ等の通信規格に基づいた無線ネットワークにアクセスすることができる。例示的な一実施例において、通信コンポーネント８１６は、ブロードキャストチャンネルを介して外部ブロードキャスト管理システムからブロードキャスト信号又はブロードキャスト関連情報を受信する。また、例示的な一実施例において、通信コンポーネント８１６は、近距離通信を容易にするための近距離無線通信（ＮＦＣ）モジュールを更に備える。例えば、前記ＮＦＣモジュールは、無線周波数認識（ＲＦＩＤ）技術、赤外線データ通信協会（ＩｒＤＡ）技術、超広帯域無線通信（ＵＷＢ）技術、ブルートゥース（登録商標）（ＢＴ）技術及びその他の技術に基づいて実施することができる。
【００７７】
例示的な実施例において、装置８００は、上述した方法を実行するための、一つ又は複数の特定用途向け集積回路（ＡＳＩＣ）、デジタルシグナルプロセッサ（ＤＳＰ）、デジタルシグナルプロセッシング装置（ＤＳＰＤ）、プログラマブルロジック装置（ＰＬＤ）、フィールドプログラマブルゲートアレイ（ＦＰＧＡ）、コントローラ、マイクロコントローラ、マイクロプロセッサ又はその他の電子コンポーネントを用いて実施することができる。
【００７８】
例示的な実施例において、命令を含むメモリ８０４等の、命令を含む非一時的コンピュータ可読記憶媒体が設けられる。前記命令は、上述した方法を実行するために、装置８００におけるプロセッサ８２０によって実行可能である。例えば、前記非一時的コンピュータ可読記憶媒体は、ＲＯＭ、ＲＡＭ、ＣＤ−ＲＯＭ、磁気テープ、フレキシブルディスク、光データ記憶装置等として構成することができる。
【００７９】
本発明のその他の実施例は、本明細書の検討及びここに開示された本発明の実施により当業者にとって明らかになるであろう。本出願は、本発明の如何なる変形、用途又は適切な変化を包含するものを意図しており、これらの変形、用途又は適切な変化は、本発明の一般的な原理に基づいたものであると共に、本明細書により開示されていない当該技術分野における公知技術又は慣用手段を含むものとする。明細書及び実施例は、あくまでも例示的な記載に過ぎず、本発明の真の範囲及び趣旨は特許請求の範囲に基づいたものとなる。
【００８０】
本発明は、上記の記載及び添付の図面により記載された詳細な構成に限定されるものではなく、本発明の範囲から逸脱することなく、種々の変更及び変形を行うことが可能であると理解されるべきである。本発明の範囲は、特許請求の範囲に基づいて限定するものであることが意図される。
【図１】
2016540182.tif 000005
【図２】
2016540182.tif 000006
【図３】
2016540182.tif 000007
【図４】
2016540182.tif 000008
【図５】
2016540182.tif 000009
【図６】
2016540182.tif 000010
【図７】
2016540182.tif 000011
【手続補正書】
【提出日】平成27年7月17日(2015.7.17)
【手続補正１】
【補正対象書類名】特許請求の範囲
【補正対象項目名】全文
【補正方法】変更
【補正の内容】
【特許請求の範囲】
【請求項１】
空気の清浄を制御する方法であって、
清浄対象空気の目標空気質を取得するステップと、
前記清浄対象空気の現在空気質を測定 し、前記目標空気質と前記現在空気質とに基づいて空気清浄機の作動量を決定するステップと、
前記空気清浄機の清浄効率に基づいて、前記空気清浄機が前記作動量を達成するために必要とする清浄所要時間を計算するステップと、
前記空気清浄機を起動し、前記清浄所要時間 に基づいて残り時間をリアルタイムで表示するステップとを有する、方法。
【請求項２】
前記方法は、
端末装置から制御命令を受信するステップを更に有し、前記制御命令が前記清浄対象空気の前記目標空気質と前記清浄対象空気の清浄終了時間とを含み、
前記清浄対象空気の前記目標空気質を取得する前記ステップは、
前記制御命令を解析して前記清浄対象空気の前記目標空気質を取得するステップを含み、
前記空気清浄機を起動する前記ステップは、
前記清浄終了時間と前記清浄所要時間とに基づいて清浄開始時間を決定するステップと、
前記清浄開始時間に達した時に前記空気清浄機を起動させるステップとを含む、請求項１に記載の方法。
【請求項３】
前記方法は、
空気中におけるＰＭ２．５の濃度に基づいて空気質指標レベルを設定するステップを更に有し、前記空気質指標レベルは、「優」、「良」、「軽度汚染」、「中度汚染」、「重度汚染」及び「厳重汚染」を含み、
前記清浄対象空気の目標空気質を取得する前記ステップは、
ユーザによって選択された前記空気質指標レベルを取得するステップと、
前記ユーザによって選択された前記空気質指標レベルを前記清浄対象空気の前記目標空気質として決定するステップとを含む、請求項１に記載の方法。
【請求項４】
前記目標空気質と前記現在空気質とに基づいて前記空気清浄機の作動量を決定する前記ステップは、
前記清浄対象空気の総体積量を取得するステップと、
前記総体積量、及び前記目標空気質と前記現在空気質とにおける単位体積量あたりの空気中のＰＭ２．５の濃度差に基づいて前記作動量を決定するステップとを含む、請求項３に記載の方法。
【請求項５】
前記空気清浄機の清浄効率に基づいて、前記空気清浄機が前記作動量を達成するために必要とする前記清浄所要時間を計算する前記ステップは、
前記空気清浄機の清浄記録履歴を収集するステップであって、前記清浄記録履歴が、清浄前の空気質、清浄後の空気質、清浄開始時点及び清浄終了時点を含むステップと、
前記清浄記録履歴に基づいて前記空気清浄機の前記清浄効率を推定するステップと、
前記空気清浄機の前記清浄効率に基づいて、前記空気清浄機が前記作動量を達成するために必要とする前記清浄所要時間を計算するステップとを含む、請求項１から４のいずれか一項に記載の方法。
【請求項６】
前記空気清浄機の前記清浄効率に基づいて、前記空気清浄機が前記作動量を達成するために必要とする前記清浄所要時間を計算する前記ステップは、
前記空気清浄機の仕事率と、前記空気清浄機中のフィルタエレメントの清浄能力とに基づいて前記空気清浄機の前記清浄効率を決定するステップであって、前記清浄効率が前記仕事率に正相関し、前記清浄効率が前記フィルタエレメントの前記清浄能力に正相関するステップを含む、請求項１から５いずれか一項に記載の方法。
【請求項７】
空気の清浄を制御する装置であって、
清浄対象空気の目標空気質を取得するように構成された取得モジュールと、
前記清浄対象空気の現在空気質を測定すると共に、前記取得モジュールによって取得された前記目標空気質と前記現在空気質とに基づいて空気清浄機の作動量を決定するように構成された決定モジュールと、
前記空気清浄機の清浄効率に基づいて前記空気清浄機が前記作動量を達成するために必要とする清浄所要時間を計算するように構成された計算モジュールと、
前記空気清浄機を起動し、前記清浄所要時間に基づいて残り時間をリアルタイムで表示するように構成された制御モジュールとを備える、装置。
【請求項８】
前記装置は、
端末装置から制御命令を受信するように構成された受信モジュールを更に備え、前記制御命令が前記清浄対象空気の前記目標空気質と前記清浄対象空気の清浄終了時間とを含み、
前記取得モジュールは、前記受信モジュールによって受信された前記制御命令を解析して前記清浄対象空気の前記目標空気質を取得するように構成され、
前記制御モジュールは、前記清浄終了時間と前記清浄所要時間とに基づいて清浄開始時間を決定し、前記清浄開始時間に達した時に前記空気清浄機を起動させるように構成されている、請求項７に記載の装置。
【請求項９】
前記装置は、
空気中におけるＰＭ２．５の濃度に基づいて空気質指標レベルを設定するように構成された設定モジュールを更に備え、前記空気質指標レベルは、「優」、「良」、「軽度汚染」、「中度汚染」、「重度汚染」及び「厳重汚染」を含み、
前記取得モジュールは、ユーザによって選択された前記空気質指標レベルを取得し、前記ユーザによって選択された前記空気質指標レベルを前記清浄対象空気の前記目標空気質として決定するように構成されている、請求項７に記載の装置。
【請求項１０】
前記決定モジュールは、
前記清浄対象空気の総体積量を取得するように構成された取得サブモジュールと、
前記取得サブモジュールによって取得された前記総体積量、及び前記目標空気質と前記現在空気質とにおける単位体積量あたりの空気中のＰＭ２．５の濃度差に基づいて前記作動量を決定するように構成された決定サブモジュールとを有する、請求項９に記載の装置。
【請求項１１】
前記計算モジュールは、
前記空気清浄機の清浄記録履歴を収集するように構成された収集サブモジュールであって、前記清浄記録履歴が、清浄前の空気質、清浄後の空気質、清浄開始時点及び清浄終了時点を含む収集サブモジュールと、
前記収集サブモジュールにより収集された前記清浄記録履歴に基づいて、前記空気清浄機の前記清浄効率を推定するように構成された推定サブモジュールと、
前記推定サブモジュールにより推定された前記空気清浄機の前記清浄効率に基づいて、前記空気清浄機が前記作動量を達成するために必要とする清浄所要時間を計算するように構成された計算サブモジュールとを有する、請求項７から１０のいずれか一項に記載の装置。
【請求項１２】
前記計算モジュールは、前記空気清浄機の仕事率と、前記空気清浄機中のフィルタエレメントの清浄能力とに基づいて、前記空気清浄機の前記清浄効率を決定するように構成され、前記清浄効率は前記仕事率に正相関し、前記清浄効率は前記フィルタエレメントの前記清浄能力に正相関する、請求項７から１１のいずれか一項に記載の装置。
【請求項１３】
請求項１から６のいずれか一項に記載の空気の清浄を制御する方法を、コンピュータでの実行を可能にする、コンピュータプログラム。
【請求項１４】
請求項１３に記載のコンピュータプログラムを含む、コンピュータ可読記憶媒体。
【国際調査報告】
2016540182.tif 000012
2016540182.tif 000013
2016540182.tif 000014
2016540182.tif 000015